(57)【要約】      （修正有）【課題】複数の発光部を切り替えて表示可能な演出装置を備えることで演出の多様化を図る遊技機を提供する。【解決手段】第２演出装置１０２は、駆動モータの駆動により軸心ＣＬを中心に回転可能な可動体１１１を備える。可動体１１１は、第１発光表示部１１４が設けられた第１演出部１１３と、第２発光表示部１１６が設けられた第２演出部１１５と、第３発光表示部が設けられた第３演出部１１７とからなる可動体１１１を備え、第１〜第３演出部１１３,１１５,１１７が軸線ＣＬを中心とする回転方向で隣接して設けられている。第２演出装置１０２は、駆動モータの駆動により、第１〜第３発光表示部１１３,１１５,１１７が遊技機の前方に向いた第１〜第３演出姿勢の各々に切り替え可能に構成される。【選択図】図１４
2015029729.tif 000002
【特許請求の範囲】
【請求項１】
発光部を備えた演出装置が配設された遊技機において、
前記演出装置は、
軸線を中心として回転可能に設けられ、透光性を有する第１発光部を備えた第１部材と、
前記軸線を中心とした回転方向で前記第１部材に隣接し、該軸線を中心として回転可能に設けられ、透光性を有する第２発光部を備えた第２部材と、
前記第１部材および第２部材の間に画成された空間内において前記第１部材の背面に配設され、前記第１発光部を背面側から照明する第１発光手段が該第１発光部側の面に実装された第１発光基板と、
前記第１部材および第２部材に夫々隣接して配設されて前記空間を画成し、前記第２発光部を背面側から照明する第２発光手段が該空間側の面に実装された第２発光基板と、
前記第１部材、第２部材、第１発光基板および第２発光基板の各々を、前記軸線を中心として回転させる駆動手段とを備え、
前記演出装置は、前記駆動手段の駆動により、前記第１発光部が遊技機の前方に向いた第１演出姿勢および前記第２発光部が遊技機の前方に向いた第２演出姿勢に切り替え可能に構成された
ことを特徴とする遊技機。
【請求項２】
前記第１部材および第２部材は、前記回転方向の一方側端部が相互に近接すると共に他方側端部が相互に離間した傾斜姿勢で配設され、
前記第１発光基板は、前記第１発光手段が前記第１発光部に正対する向きに配設され、
前記第２発光基板は、前記第２発光部に対し傾斜した姿勢で配設され、第２発光手段の光が前記第２発光部に対して斜め方向から照射されるよう構成された請求項１記載の遊技機。
【請求項３】
前記第１発光基板は、前記第２発光基板から離れるにつれて前記第２発光部に近づくよう該第２発光基板に対して傾斜姿勢で配設され、
前記第１発光基板における前記第２発光部側の面が、前記第２発光基板の第２発光手段から照射された光を前記第２発光部に向け反射可能に構成され、
前記第２発光部は、前記第２発光手段から直接照射される光と、前記第１発光基板における第２発光部側の面で反射した光とで照明されるよう構成された請求項２記載の遊技機。
【請求項４】
前記第２発光基板の外側において前記軸線を中心とした回転方向で前記第１部材および第２部材に夫々隣接し、該軸線を中心として回転可能に設けられ、透光性を有する第３発光部を備えた第３部材と、
前記第２発光基板における前記第３部材側の面に実装され、前記第３発光部を背面側から照明する第３発光手段とを備え、
前記演出装置は、前記駆動手段の駆動により、前記第３発光部が遊技機の前方に向いた第４演出姿勢に切り替え可能に構成された請求項１〜３の何れか一項に記載の遊技機。
【請求項５】
前記演出装置は、別の演出装置に隣接して配設され、
前記演出装置は、前記第１〜第４演出姿勢に切り替わることで、前記第１〜第３発光部が前記別の演出装置と一連をなす複数の意匠を形成するよう構成された請求項４記載の遊技機。
【発明の詳細な説明】
【技術分野】
【０００１】
この発明は、複数の発光部を有する演出装置を備えた遊技機に関するものである。
【背景技術】
【０００２】
代表的な遊技機であるパチンコ機は、遊技店に設けられた設置枠台に固定される枠部材である外枠と、該外枠に対して着脱および開閉可能に枢支され、遊技盤が交換可能に配設される枠部材である中枠と、中枠の前面側に該中枠に着脱および開閉可能に枢支され、中枠に配設した遊技盤を透視保護する透明板が配設される枠部材としての前枠とを備えている。前枠には、透明板が配設される窓口の下方に、遊技球を貯留可能な上球貯留部や下球貯留部が配設されると共に、下球貯留部の右方に、上球貯留部から供給される遊技球を遊技盤に向けて発射させる打球発射装置を作動させる操作ハンドルが設けられている。
【０００３】
前記遊技盤は、その前面に遊技領域が画成されていると共に該遊技領域内には前後に貫通する開口が形成されており、枠状に構成された枠状装飾部材が該開口の開口縁に取り付けられ、該枠状装飾部材の内側には演出領域が画成されている。遊技領域には、案内釘や、図柄表示装置による図柄変動演出の契機となる始動入賞装置および普通入賞部や、大当りの発生時に入賞口を開口して多数の入賞球を発生させる特別入賞装置や、その他の遊技部品等が配設されている。また、演出領域には、遊技盤の後側に配設された設置部材に取り付けられた図柄表示装置の表示部や演出装置等が臨んでおり、該図柄表示装置の表示部での図柄変動演出や演出装置の可動体による演出が当該演出領域内で視認可能となっている。
【０００４】
前述のように構成されたパチンコ機は、操作ハンドルの操作により遊技盤の遊技領域へ打ち込まれた遊技球が始動入賞装置に入賞して入賞球検知手段により検知されると、演出領域に臨む図柄表示装置の表示部での図柄変動演出が開始され、制御手段における大当り抽選に基づいて該表示部に図柄が所定の組み合わせで停止することにより遊技者に有利な特別遊技状態(例えば「大当り」)が発生すると、特別入賞装置の入賞口が開放されて多数の賞球を獲得し得るよう構成される。また、図柄表示装置の表示部での演出に合わせて、演出装置が作動制御されて適宜タイミングで動作することにより、視覚的な演出効果の向上を図るようになっている。このような演出装置を備えたパチンコ機は、特許文献１に開示されている。
【先行技術文献】
【特許文献】
【０００５】
【特許文献１】特開２０１０−１６２２３８号公報
【発明の概要】
【発明が解決しようとする課題】
【０００６】
特許文献１に開示された演出装置は、図柄表示装置の表示部での演出に合わせて可動体が移動するよう構成されるが、該可動体は、同じ意匠面および発光面が常に遊技盤の前方へ向いた姿勢で移動するようになっており、演出が単調になり易い課題がある。
【０００７】
すなわち本発明は、従来の技術に係る遊技機に内在する前記課題に鑑み、これを好適に解決するべく提案されたものであって、複数の発光部を切り替えて表示可能な演出装置を備えることで演出の多様化を図った遊技機を提供することを目的とする。
【課題を解決するための手段】
【０００８】
前記課題を解決し、所期の目的を達成するため、本発明の請求項１に係る発明は、
発光部を備えた演出装置(102,103)が配設された遊技機において、
前記演出装置(102,103)は、
軸線(CL)を中心として回転可能に設けられ、透光性を有する第１発光部(211)を備えた第１部材(210)と、
前記軸線(CL)を中心とした回転方向で前記第１部材(210)に隣接し、該軸線(CL)を中心として回転可能に設けられ、透光性を有する第２発光部(233)を備えた第２部材(230)と、
前記第１部材(210)および第２部材(230)の間に画成された空間(S)内において前記第１部材(210)の背面に配設され、前記第１発光部(211)を背面側から照明する第１発光手段(246)が該第１発光部(211)側の面(245A)に実装された第１発光基板(245)と、
前記第１部材(210)および第２部材(230)に夫々隣接して配設されて前記空間(S)を画成し、前記第２発光部(233)を背面側から照明する第２発光手段(253)が該空間(S)側の面(250B)に実装された第２発光基板(250)と、
前記第１部材(210)、第２部材(230)、第１発光基板(245)および第２発光基板(250)の各々を、前記軸線(CL)を中心として回転させる駆動手段(160)とを備え、
前記演出装置(102,103)は、前記駆動手段(160)の駆動により、前記第１発光部(211)が遊技機の前方に向いた第１姿勢および前記第２発光部(233)が遊技機の前方に向いた第２姿勢に切り替え可能に構成されたことを要旨とする。
【０００９】
請求項１に係る発明によれば、駆動手段の駆動により、第１発光基板の第１発光手段により照明される第１発光部が遊技機の前方に向いた第１姿勢と、第２発光基板の第２発光手段により照明される第２発光部が遊技機の前方に向いた第２姿勢とに切り替え可能となっているので、演出の多様化を図ることができる。また、第１発光基板を、第１部材と第２部材との間に画成された空間内に配設し、第２発光基板を空間の外側で該空間を形成するよう配設したので、該空間が小さくなって演出装置をコンパクトに構成することができる。
【００１０】
請求項２に係る発明では、
前記第１部材(210)および第２部材(230)は、前記回転方向の一方側端部(216,236)が相互に近接すると共に他方側端部(217,232)が相互に離間した傾斜姿勢で配設され、
前記第１発光基板(245)は、前記第１発光手段(246)が前記第１発光部(211)に正対する向きに配設され、
前記第２発光基板(250)は、前記第２発光部(233)に対し傾斜した姿勢で配設され、第２発光手段(253)の光が前記第２発光部(233)に対して斜め方向から照射されるよう構成されたことを要旨とする。
請求項２に係る発明によれば、第１発光基板の第１発光手段が第１発光部の背面に正対する位置から該第１発光部を照射するので、該第１発光部の全体を明るく照明することができる。また、第２発光基板の第２発光手段が第２発光部の背面を斜め方向から照射するので、該第２発光部は、第２発光手段に近い側を該第２発光手段より遠い側より明るく照明させ得るので、明るさに変化を付けることができる。従って、第１発光部と第２発光部との発光態様を異ならせることができ、演出の多様化を図ることができる。
【００１１】
請求項３に係る発明では、
前記第１発光基板(245)は、前記第２発光基板(250)から離れるにつれて前記第２発光部(233)に近づくよう該第２発光基板(250)に対して傾斜姿勢で配設され、
前記第１発光基板(245)における前記第２発光部(233)側の面(245B)が、前記第２発光基板(250)の第２発光手段(253)から照射された光を前記第２発光部(233)に向け反射可能に構成され、
前記第２発光部(233)は、前記第２発光手段(253)から直接照射される光と、前記第１発光基板(245)における第２発光部(233)側の面(245B)で反射した光とで照明されるよう構成されたことを要旨とする。
請求項３に係る発明によれば、第２部材の第２発光部が、第２発光基板の第２発光手段から直接照射される光と、第１発光基板における第２発光部側の面で反射した光とで照明されるから、第２発光手段の光により第２発光部を効率的に発光させることができる。
【００１２】
請求項４に係る発明では、
前記第２発光基板(250)の外側において前記軸線(CL)を中心とした回転方向で前記第１部材(210)および第２部材(230)に夫々隣接し、該軸線(CL)を中心として回転可能に設けられ、透光性を有する第３発光部(181)を備えた第３部材(180)と、
前記第２発光基板(250)における前記第３部材(180)側の面(250B)に実装され、前記第３発光部(181)を背面側から照明する第３発光手段(254)とを備え、
前記演出装置(102,103)は、前記駆動手段(160)の駆動により、前記第３発光部(181)が遊技機の前方に向いた第３姿勢に切り替え可能に構成されたことを要旨とする。
請求項４に係る発明によれば、第２発光基板における第３部材側の面に実装された第３発光手段により該第３部材の第３発光部を照明することができ、該第３発光部を照明する別途の発光基板を設ける必要がないので、コスト削減を図り得ると共に演出装置の小型化および軽量化を図り得る。また、第３発光部を備えたことにより、更に演出効果の多様化を図り得る。
【００１３】
請求項５に係る発明では、
前記演出装置(102,103)は、別の演出装置(101)に隣接して配設され、
前記演出装置(102,103)は、前記第１〜第３姿勢に切り替わることで、前記第１〜第３発光部(180,211,233)が前記別の演出装置(101)と一連をなす複数の意匠を形成するよう構成されたことを要旨とする。
請求項５に係る発明によれば、演出装置を第１〜第３姿勢に切り替えることで、該演出装置の第１〜第３発光部および別の演出装置が一連をなす複数の大きな意匠を形成することができ、インパクトがある演出を行なうことができる。
【発明の効果】
【００１４】
本発明に係る遊技機によれば、複数の発光部を切り替えて表示する演出装置により、演出の多様化を図ることができる。
【図面の簡単な説明】
【００１５】
【図１】実施例のパチンコ機の正面図である。
【図２】実施例のパチンコ機を、中枠から前枠を開放し、遊技盤の遊技領域内を省略すると共に透明板を取り外した状態で示す斜視図である。
【図３】実施例のパチンコ機における遊技盤を、図柄表示装置における第１演出装置が通常表示姿勢となっていると共に第２演出装置および第３演出装置が第１演出姿勢となっている状態で示す正面図である。
【図４】図３のＸ１−Ｘ１線断面図である。
【図５】実施例のパチンコ機における遊技盤を、図柄表示装置における第１演出装置が退避姿勢となっていると共に第２演出装置および第３演出装置が第２演出姿勢となっている状態で示す正面図である。
【図６】実施例のパチンコ機における遊技盤を、図柄表示装置における第１演出装置が退避姿勢となっていると共に第２演出装置および第３演出装置が第３演出姿勢となっている状態で示す正面図である。
【図７】実施例のパチンコ機における遊技盤を、図柄表示装置における第１演出装置が退避姿勢となっていると共に第２演出装置および第３演出装置が第４演出姿勢となっている状態で示す正面図である。
【図８】図柄表示装置を構成する第２演出装置を右前上方から見た斜視図である。
【図９】第２演出装置を構成する可動体および作動機構を示す斜視図である。
【図１０】第２演出装置の作動態様を示す説明図であって、(ａ)は、第１演出部が前方を向いた第１演出姿勢を示し、(ｂ)は、第２演出部が前方を向いた第２演出姿勢を示している。
【図１１】第２演出装置の作動態様を示す説明図であって、(ａ)は、第２演出部および第３演出部の両方が視認可能な第３演出姿勢を示し、(ｂ)は、第３演出部が前方を向いた第４演出姿勢を示している。
【図１２】可動体の底面図である。
【図１３】図１０(ａ)のＸ２−Ｘ２線断面図である。
【図１４】図１０(ａ)のＸ３−Ｘ３線断面図である。
【図１５】図１０(ｂ)のＸ４−Ｘ４線断面図である。
【図１６】図１１(ａ)のＸ５−Ｘ５線断面図である。
【図１７】図１１(ｂ)のＸ６−Ｘ６線断面図である。
【図１８】右前上方から見た第２演出装置の分解斜視図である。
【図１９】左後上方から見た第２演出装置の分解斜視図である。
【図２０】右前上方から見た支持体の分解斜視図である。
【図２１】左後上方から見た支持体の分解斜視図である。
【図２２】(ａ)は、右前上方から見た第１演出部の分解斜視図であり、(ｂ)は、左後上方から見た第１演出部の分解斜視図である。
【図２３】(ａ)は、左前上方から見た第２演出部の分解斜視図であり、(ｂ)は、右後上方から見た第２演出部の分解斜視図である。
【図２４】(ａ)は、左前上方から見た第３演出部の分解斜視図であり、(ｂ)は、右後上方から見た第３演出部の分解斜視図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機１０を例に挙げて説明する。また、以下の説明において、「前」、「後」、「左」、「右」とは、図１に示すようにパチンコ機１０を前側(遊技者側)から見た状態で指称する。
【実施例】
【００１７】
(パチンコ機の概略構成について)
実施例に係るパチンコ機１０は、図１および図２に示すように、遊技店に設けられた「島」とも称される設置枠台(図示せず)に固定される固定枠としての外枠１１と、該外枠１１に対して着脱および開閉可能に枢支された本体枠としての中枠１２と、該中枠１２に着脱交換可能に取り付けられて所要の遊技領域３４が画成された遊技盤３０と、中枠１２の前面側に着脱および開閉可能に枢支され、該中枠１２に配設した遊技盤３０を透視保護する透明板１４が配設される前枠１３とを備えている。前枠１３の前側には、透明板１４が配設された窓口１５の下方に、パチンコ球を貯留可能な上球皿１６が配設されると共に、該上球皿１６の下方に、パチンコ球を貯留可能な下球皿１７や、中枠１２に配設された打球発射装置１９(図２参照)および前枠１３に配設された球送り装置２０(図２参照)を作動させるハンドルユニット１８が、左右に並んで配設されている。また、パチンコ機１０の後側には、当該パチンコ機１０を総合的に制御するメイン制御基板(制御手段)、メイン制御基板からの制御信号に基づき球払出装置を作動制御する球払出制御基板、打球発射装置１９を制御する発射制御基板等が配設されている。また、遊技盤３０の後側には、メイン制御基板からの制御信号に基づき、後述する図柄表示装置１００や可動演出装置６０等を作動制御する統括制御基板２６５が配設されている(図４参照)。
【００１８】
このようなパチンコ機１０では、上球皿１６から球送り装置２０を介して打球発射装置１９へ供給され、該打球発射装置１９により遊技盤３０の遊技領域３４へ打ち込まれたパチンコ球が、後述する第１始動入賞部３５または第２始動入賞部３６に入賞することにより、メイン制御基板において入賞時情報が取得されて大当り抽選が行なわれると共に該大当り抽選結果に基づいた制御信号が統括制御基板に出力され、該統括制御基板２６５の制御のもとで、遊技盤３０に配設された図柄表示装置１００の第１〜第３演出装置１０１,１０２,１０３(図３参照)での図柄変動演出が開始される。そしてパチンコ機１０は、図柄変動演出の結果として、第１〜第３演出装置１０１,１０２,１０３に図柄が所定の組み合わせで停止することにより遊技者に有利な特別遊技状態(例えば「大当り」)が発生すると、遊技盤３０の遊技領域３４に設けられた第１特別入賞部３７の第１特別入賞口５０または第２特別入賞部３８の第２特別入賞口５２(図３参照)が開放されて多数のパチンコ球の入賞が可能となり、パチンコ球の入賞に基づいて球払出装置が配設された球払出し部から多数のパチンコ球が賞球として上球皿１６へ払出されるよう構成されている。
【００１９】
（中枠）
中枠１２は、図２に示すように、上縁をなす上枠部２１と、下縁をなして、打球発射装置１９等が設置された下枠部２２と、左側縁をなす左枠部２３と、右側縁をなす右枠部２４とから構成され、全体が外枠１１の開口に整合する矩形枠状に形成される。中枠１２には、遊技盤３０を前側から着脱可能に設置し得る遊技盤保持部２５が設けられている。そして中枠１２は、外枠１１の左上および左下に設けられたヒンジ２６,２６を介して該外枠１１に枢支され、中枠１２は外枠１１に対して左側端部を中心として開閉し得るようになっている。なお中枠１２は、上下左右の各枠部２１,２２,２３,２４が一体成形されたものであってもよい。
【００２０】
(前枠)
前枠１３は、図１および図２に示すように、中枠１２の外郭形状に略合致する板状に形成されると共に前後方向に開口する窓口１５が開設された枠本体２７の前側に、該窓口１５を囲むように複数の装飾部材２８が取り付けられている。装飾部材２８内には、ＬＥＤチップを実装した照明装置(図示せず)が配設され、該照明装置が発光制御されることで装飾部材２８の光透過部分が明輝されるようになっている。
【００２１】
(遊技盤)
遊技盤３０は、図３および図４に示すように、ベニア等を貼り合わせた木製合板や合成樹脂を材質とし、中枠１２に設けられた遊技盤保持部２５の内縁形状に整合する外形形状に形成された略矩形の平板状の部材である。遊技盤３０の前側には、左下部から右上部にかけて円弧状に延在する外レール３１と、この外レール３１の内側に中央下部から左上部にかけて並べて配置された内レール３２と、外レール３１の右上部から内レール３２の下部までの間に右方へ凹む湾曲形状に構成された盤面飾り部材３３等が配設されており、両レール３１,３２および盤面飾り部材３３で囲まれた内側が遊技領域３４として構成されている。遊技領域３４は、後述する枠状装飾部材８０を挟んで左側の第１遊技領域３４Ａと右側の第２遊技領域３４Ｂとに分かれている。これにより、打球発射装置１９から発射されたパチンコ球は、外レール３１と内レール３２との間を通って遊技領域３４の左側上部に打ち込まれた後、打球発射装置１９による打込み力を弱く調整した所謂左打ちの場合は、主に遊技領域３４の第１遊技領域３４Ａを流下し、打球発射装置１９による打込み力を強く調整した所謂右打ちの場合は、主に遊技領域３４の第２遊技領域３４Ｂを流下するようになっている。
【００２２】
遊技盤３０における左側の第１遊技領域３４Ａには、該第１遊技領域３４Ａの上下略中央に第１始動入賞部３５が配設され、該第１遊技領域３４Ａの下部に第１特別入賞部３７が配設されると共に、第１始動入賞部３５と第１特別入賞部３７との間に、２つの第１普通入賞部３９が上下に離間して配設されている。また、右側の第２遊技領域３４Ｂには、該第２遊技領域３４Ｂの上下中央の下方に第２始動入賞部３６が配設され、該第２始動入賞部３６の左下方に第２特別入賞部３８が配設されると共に、第２始動入賞部３６の上方(第２遊技領域３４Ｂの上下略中央)に２つの第２普通入賞部４０が配設されている(なお、下側の第２普通入賞部４０は、第２始動入賞部３６の取付板に設けられている)。また、第２普通入賞具４０の上方に、通過するパチンコ球を検知可能なゲート７９が配設されている。なお、遊技領域３４には、パチンコ球の流下方向を変更する多数の遊技釘４２が配設されている。
【００２３】
(第１始動入賞部)
前記第１始動入賞部３５は、図３、図５および図７に示すように、上方に開口した第１始動入賞口４５と、該第１始動入賞口４５に入賞したパチンコ球(入賞球)を検知すると共に検知信号をメイン制御基板へ送信する第１始動入賞球検知センサ(図示せず)とを備えている。すなわち、第１始動入賞部３５は、第１始動入賞口４５が第１遊技領域３４Ａ内で常に上方へ開口する常時開放タイプの入賞口であり、該第１遊技領域３４Ａを流下するパチンコ球が常時一定の確率で入賞可能に構成されている。そして、第１始動入賞球検知センサからの検知信号を受信したメイン制御基板は、前述したように、球払出装置が所定数の賞球を払い出させるように球払出制御基板に制御信号を送信すると共に、入賞時情報(各種乱数情報)を取得して、該入賞時情報に基づいて大当り抽選(大当り判定)を行なうようになる。
【００２４】
(第２始動入賞部)
前記第２始動入賞部３６は、図３、図５および図７に示すように、第２遊技領域３４Ｂを流下するパチンコ球が入賞可能な第２始動入賞口４７と、該第２始動入賞口４７に入ったパチンコ球(入賞球)を検知すると共に検知信号をメイン制御基板へ送信する第２入賞球検知センサ(図示せず)とを備えている。また、第２始動入賞部３６は、第２始動入賞口４７を開閉する羽根形態の一対の開閉体４８,４８と、各開閉体４８,４８を開閉動作させる図示しない作動手段(電磁ソレノイド等)とを備え、該開閉体４８,４８は、該作動手段の作動により第２始動入賞口４７を閉鎖する閉鎖位置および開放する開放位置に変位するよう構成されている。すなわち、実施例の第２始動入賞部３６は、開閉体４８,４８が変位することで、第２始動入賞口４７に対するパチンコ球の入賞確率を可変し得るよう構成されている。そして、第２始動入賞球検知センサからの検知信号を受信したメイン制御基板は、前述したように、球払出装置が所定数の賞球を払い出させるように球払出制御基板に制御信号を送信すると共に、入賞時情報(各種乱数情報)を取得して、該入賞時情報に基づいて大当り抽選(大当り判定)を行なうようになる。
【００２５】
(第１特別入賞部)
第１遊技領域３４Ａの下部に配設された第１特別入賞部３７は、図３〜図７に示すように、第１遊技領域３４Ａに横長に開口する第１特別入賞口５０が前側に設けられた本体と、該第１特別入賞口５０を開閉自在に閉成する板状の第１開閉部材５１と、第１特別入賞口５０に入賞したパチンコ球(入賞球)を検知すると共に検知信号をメイン制御基板へ送信する第１特別入賞球検知センサ(図示せず)とを備えており、作動手段(図示せず)の作動に伴って第１開閉部材５１が閉鎖する閉鎖位置と開放する開放位置に変位するよう構成されている。そして、第１特別入賞球検知センサからの検知信号を受信したメイン制御基板は、前述したように、球払出装置が所定数の賞球を払い出させるように球払出制御基板に制御信号を送信する。なお、第１特別入賞部３７は、第１始動入賞部３５へのパチンコ球の入賞および第２始動入賞部３６へのパチンコ球の入賞に基づき、メイン制御基板が行なう大当り抽選の結果として所定の大当り(例えば、非確変大当り等)が付与された場合に、第１開閉部材５１を所定の回数で開放するよう制御される。
【００２６】
(第２特別入賞部)
第２遊技領域３４Ｂの下部に配設された第２特別入賞部３８は、図３、図５および図７に示すように、前記第１特別入賞部３７と基本的に同じ構成であり、第２遊技領域３４Ｂに横長に開口する第２特別入賞口５２が前側に設けられた本体と、該第２特別入賞口５２を開閉自在に閉成する板状の第２開閉部材５３と、第２特別入賞口５２に入賞したパチンコ球(入賞球)を検知すると共に検知信号をメイン制御基板へ送信する第２特別入賞球検知センサ(図示せず)とを備えており、作動手段(図示せず)の作動に伴って第２開閉部材５３が閉鎖する閉鎖位置と開放する開放位置に変位するよう構成されている。そして、第２特別入賞球検知センサからの検知信号を受信したメイン制御基板は、前述したように、球払出装置が所定数の賞球を払い出させるように球払出制御基板に制御信号を送信する。なお、第２特別入賞部３８は、第１始動入賞部３５へのパチンコ球の入賞および第２始動入賞部３６へのパチンコ球の入賞に基づき、メイン制御基板が行なう大当り抽選の結果として所定の大当り(例えば、確変大当り等)が付与された場合に、第２開閉部材５３を所定の回数で開放するよう制御される。
【００２７】
(枠状装飾部材)
遊技盤３０には、前後に開口する貫通口が形成されており、前後に開口する枠状に構成された枠状装飾部材５５が、該貫通口の開口端縁を覆った状態で配設されている。この枠状装飾部材５５は、複数の部材から構成され、略円形でかつ中央下部が下方へ突出した形状をなしており、遊技盤３０の前面に当接してネジ止めされる取付板部５６と、該取付板部５６から前方へ突出して所要の意匠が施された装飾枠部５７とを備えている。枠状装飾部材５５は、遊技領域３４における左右中央において上下開口幅が最大となっており、装飾枠部５７の上縁部と外レール３１との上下方向の間隔はパチンコ球２〜３個分とされ、該装飾枠部５７の下縁部はアウト口４３の直上に位置している。また、枠状装飾部材５５は、遊技領域３４の上下方向の略中央において左右開口幅が最大となっており、装飾枠部５７の左側部と内レール３２との左右方向の間隔および該装飾枠部５７の右側部と盤面飾り部材３３との左右方向の間隔は、夫々パチンコ球４〜５個分となっている。そして、装飾枠部５７の内側が演出領域５８とされ、該装飾枠部５７により、該演出領域５８と外側の前記遊技領域３４とが区画され、遊技領域３４を流下するパチンコ球が演出領域５８内へ進入しないよう構成されている。
【００２８】
前記演出領域５８は、略円形に開口した第１演出領域５８Ａと、該第１演出領域５８Ａの下側に位置して、該第１演出領域５８Ａより左右幅が狭い第２演出領域５８Ｂとに分かれている。第１演出領域５８Ａには、遊技盤３０の後側に取り付けられた設置部材６５(後述)に配設した図柄表示装置１００が臨むようになっている。第２演出領域５８Ｂは、後側に装飾板部４９が設けられている。なお、装飾枠部５７の下部には、第１始動入賞部３５に入賞したパチンコ球(入賞球)に関する第１始動保留情報の記憶数を表示する第１保留表示部５１と、第２始動入賞部３６に入賞したパチンコ球(入賞球)に関する第２始動保留情報の記憶数を表示する第２保留表示部５２とが配設されている。
【００２９】
(設置部材)
遊技盤３０の後側に取り付けられる設置部材６５は、図４に示すように、前方に開放する略矩形のケース状に形成された部材であって、前側の開放端を遊技盤３０の後面に突き合わせた状態で該遊技盤３０に取り付けられる。設置部材６５は、遊技盤３０の後面に対して所要の間隔で略平行に対向する設置壁部６６と、この設置壁部６６の周縁から前方へ延出形成された外周壁部６７と、この外周壁部６７の前端から外方に向けて屈曲した形状に形成された取付板部６８等を備えている。すなわち設置部材６５は、外周壁部６７で囲われて遊技盤３０側に開放する前部開口が略矩形状に形成されると共に、取付板部８１の外周縁が、遊技盤３０の外周縁より一回り小さい形状および大きさで形成されている。そして設置部材６５は、取付板部８１を遊技盤３０の後面にネジ止めすることで該遊技盤３０に取り付けられ、遊技盤３０の後面と該後面から離間した設置壁部６６の前側との間に空間を画成する。設置壁部６６の前面には、図柄表示装置１００を設置するための設置部６９が略中央に設けられている。そして、設置壁部６６および外周壁部６７には、図柄表示装置１００や可動演出装置６０等で発生した熱を、設置部材６５の外方へ放出可能な複数の通気孔７０が開設されている。
【００３０】
設置壁部６６の後面には、図４に示すように、図柄表示装置１００における第１〜第３演出装置１０１,１０２,１０３の制御や、当該パチンコ機１０の遊技演出を統括的に制御する前記統括制御基板２６５が配設される。統括制御基板２６５には、前枠１３に配設された各ランプ装置７２(図１参照)、前枠１１および中枠１２に配設されたスピーカ７３(図１、図２参照)、設置壁部６６の前側に配設されたランプ装置や可動演出装置６０等が電気的に接続されており、当該統括制御基板２６５から出力される制御信号に基づいて各装置が作動制御される。
【００３１】
(図柄表示装置)
実施例の図柄表示装置１００は、図３に示すように、左右に並ぶ３列の図柄列を表示するもので、中図柄列の図柄を表示する第１演出装置(別の演出装置)１０１と、左図柄列の図柄を表示する第２演出装置１０２と、右図柄列の図柄を表示する第３演出装置１０３とから構成されている。第１〜第３演出装置１０１,１０２,１０３は、夫々所謂７セグメント形態の発光表示部１０５,１１４,１１４を夫々備え、数字の「０」〜「９」等を表示し得るよう構成されている。なお、第１〜第３演出装置１０１,１０２,１０３は、ベース部材１０４に予め固定されてユニット化され、該ベース部材１０４を設置部材６５の設置壁部６６に設けられた設置部６９に固定することで、遊技盤３０の第１演出領域５８Ａに臨み、パチンコ機１０の前側から視認される。
【００３２】
実施例の図柄表示装置１００は、図３、図５および図７に示すように、第１演出装置１０１、第２演出装置１０２および第３演出装置１０３が、遊技内容に応じて、複数の形態に変更可能に構成されている。第１演出装置１０１は、発光表示部１０５を構成する７個のセグメント１０５Ａ〜１０７Ｇが、通常表示姿勢(図３参照)および退避姿勢(図５、図７参照)に変化させ得るよう構成されている。すなわち、退避姿勢では、図示しない作動機構により、上セグメント１０５Ａ、中セグメント１０５Ｂ、左上セグメント１０５Ｄおよび右上セグメント１０５Ｅが、各々の相対位置が変化しながら上方へ移動すると共に、下セグメント１０５Ｃ、左下セグメント１０５Ｆおよび右下セグメント１０５Ｇが、各々の相対位置が変化しながら下方へ移動するよう構成されている。また、第１演出装置１０１は、発光表示部１０５の後側に、該発光表示部１０５が退避姿勢となった際に、前方へ露出する演出装置１０８を備えている。ここで、実施例では、第１演出装置１０１の演出装置１０８として、キャラクタの顔を模した可動体１１１を備えている。すなわち、第１演出装置１０１は、発光表示部１０５を通常表示姿勢としたもとで図柄変動演出を行ない、例えばリーチが発生した場合等には、該発光表示部１０５を退避姿勢へ変更して、演出装置１０８の可動体１１１を動作させながらリーチ演出を実行し得るよう構成されている。
【００３３】
また、第２演出装置１０２および第３演出装置１０３は、図３、図５および図７に示すように、左右対称形状に構成され、上下方向に延在する軸線を中心とした回転変位が可能に構成されている。そして、第２演出装置１０２および第３演出装置１０３は、７セグメントからなる第１演出部１１３がパチンコ機１０の前方に向いた第１演出姿勢(第３姿勢)(図３、図１０(ａ)、図１４参照)と、第２演出部１１５がパチンコ機１０の前方に向いた第２演出姿勢(第１姿勢)(図５、図１０(ｂ)、図１５参照)と、第３演出部１１７がパチンコ機１０の前方に向いた第４演出姿勢(第２姿勢)(図７、図１０(ｃ)、図１７参照)とに、回転変位するようになっている。すなわち、第２演出装置１０２および第３演出装置１０３は、第１演出姿勢としたもとで第１演出部１１３により図柄変動演出を行ない、例えばリーチが発生した場合等には、第２演出姿勢または第４演出姿勢へ変更して、第２演出部１１５または第３演出部１１７によるリーチ演出を実行し得るよう構成されている。
【００３４】
従って、実施例の図柄表示装置１００は、第１演出装置１０１の発光表示部１０５を通常表示姿勢とすると共に、第２演出装置１０２および第３演出装置１０３を各々第１演出姿勢としたもとで、通常の図柄変動演出を行なうよう構成されている。そして、図柄変動演出に際してリーチ演出等の特別な演出を実行する際に、第１演出装置１０１の発光表示部１０５を退避姿勢と変更すると共に、第２演出装置１０２および第３演出装置１０３を各々第２演出姿勢または第４演出姿勢に変更するようになっている。すなわち、互いに横並びに隣接して配設された第１〜第３演出装置１０１,１０２,１０３は、第１演出装置１０１の通常表示姿勢と、第２および第３演出装置１０２,１０３の第１演出姿勢とにおいて、一連をなす１つの意匠を形成すると共に、第１演出装置１０１の退避姿勢と、第２および第３演出装置１０２,１０３の第２演出姿勢および第４演出姿勢において、一連をなす別の意匠を形成するよう構成されている。
【００３５】
(第２演出装置)
次に、前述した図柄表示装置１００を構成する第２演出装置１０２および該図柄表示装置１００における右図柄列の図柄を表示する第３演出装置１０３について説明する。ここで、第２演出装置１０２および第３演出装置１０３は、左右対称形状に形成されており、基本的な構成は同じであるので左側に配設された第２演出装置１０２について説明し、第３演出装置１０３は、対応する同一部材および部位は同一の符号を付すこととする。
【００３６】
第２演出装置１０２および第３演出装置１０３は、図８および図１０に示すように、第１演出装置１０１が固定されるベース部材１０４に固定される支持体１１０と、該支持体１１０に対して回転可能に支持された可動体１１１と、支持体１１０に配設され、可動体１１１を回転させる作動機構１１２とを備えている。可動体１１１は、第１発光表示部(第３発光部)１１４を備えた第１演出部１１３と、第２発光表示部(第１発光部)１１６を備えた第２演出部１１５と、第３発光表示部１１８を備えた第３演出部１１７とを備え、第１〜第３演出部１１３,１１５,１１７は、支持体１１０の第２支持部材１２１および第３支持部材１２２間において、上下方向に延在する軸線ＣＬを中心とする回転方向へ隣接して配設されている。すなわち、第１演出部１１３(第１発光表示部１１４)がパチンコ機１０の前方を指向した状態(図３および図１０(ａ)に示す第１演出姿勢)において、上面視で、第２演出部１１５(第２発光表示部１１６)は第１演出部１１３の後方右側に位置すると共に、第３演出部１１７(第３発光演出部１１８)は該第１演出部１１３の後方左側に位置する関係で、第１〜第１演出部１１３,１１５,１１７が配設されている。また、第３演出装置１０３は、第１演出部１１３(第１発光表示部１１４)がパチンコ機１０の前方を指向した状態(図３に示す第１演出姿勢)において、上面視で、第２演出部１１５(第２発光表示部１１６)は第１演出部１１３の後方左側に位置すると共に、第３演出部１１７(第３発光演出部１１８)は該第１演出部１１３の後方右側に位置する関係で、第１〜第１演出部１１３,１１５,１１７が配設されている。また、実施例では、軸線ＣＬが、鉛直方向に延在している。なお、以降の第２演出装置１０２に関する説明において、左右方向、前後方向および上下方向は、第１演出部１１３(第１発光表示部１１４)がパチンコ機１０の前方を向いた第１演出姿勢を基準として説明する。
【００３７】
そして、第２演出装置１０２は、作動機構１１２を構成する駆動手段としての駆動モータ１６０の駆動により、第１発光表示部１１４がパチンコ機１０の前方を向いた第１演出姿勢(図３、図１０(ａ))と、第２発光表示部１１６がパチンコ機１０の前方を向いた第２演出姿勢(図５、図１０(ｂ))と、第２発光表示部１１６および第３発光表示部１１８が正面から視認可能な第３演出姿勢(図６、図１１(ａ))と、第３発光表示部１１８がパチンコ機１０の前方を向いた第４演出姿勢(図７、図１１(ｂ))とに切り替え可能に構成されている。ここで、実施例の第２演出装置１０２における可動体１１１は、作動機構１１２の駆動モータ１６０が正回転することで、第１演出姿勢の状態から右回転(第３演出装置１０３は左回転)して第１演出姿勢→第２演出姿勢→第３演出姿勢→第４演出姿勢へ切り替えが可能であると共に、該駆動モータ１６０の逆回転により、第４演出姿勢の状態から左回転(第３演出装置１０３は右回転)して第４演出姿勢→第３演出姿勢→第２演出姿勢→第１演出姿勢への切り替えが可能に構成されている。なお、実施例では、第２演出装置１０２の可動体１１１は、第１演出姿勢から左回転して第４演出姿勢への切り替えや、第４演出姿勢から右回転して第１演出姿勢への切り替えは行なわず、第３演出装置１０２の可動体１１１は、第１演出姿勢から右回転して第４演出姿勢への切り替えや、第４演出姿勢から左回転して第１演出姿勢への切り替えは行なわないようになっている。
【００３８】
(支持体)
前記支持体１１０は、図８、図１３〜図２１に示すように、ベース部材１０４に垂直に固定される第１支持部材１２０と、該第１支持部材１２０の上部に取り付けられる第２支持部材１２１と、該第１支持部材１２０の下部に取り付けられる第３支持部材１２２とを備える。そして可動体１１１は、該可動体１１１の上部が第２支持体１１０に配設された作動機構１１２の従動ギア１６２に連結されると共に回転可能に支持されると共に、該可動体１１１の下部が、第３支持体１１０に回転可能に支持されるよう構成され、該可動体１１１は、前記軸線ＣＬを中心として回転するようになっている。
【００３９】
(第１支持部材)
第１支持部材１２０は、図１３、図１８〜図２１に示すように、前後に開口する開口部が形成された上下方向が長手となる枠状部１２３と、枠状部１２３の左枠部に一体に形成され、前方へ突出すると共に左方へ凸となる曲線状に形成された突壁部１２４と、枠状部１２３の上枠部から前方へ延出した上取付部１２４と、枠状部１２３の下枠部から前方へ延出した下取付部１２５とが、一体に形成された成形部材である。そして、第１支持部材１２０の後側における前記ベース部材１０４と重なる位置に、ネジ孔が形成された複数(実施例では４つ)の第１ボス１２６が後方に向けて突設されており、該ベース部材１０４の後側から該ベース部材１０４を挿通させた固定ネジ(図示せず)を該第１ボス１２６にねじ込むことで、第１支持部材１２０が該ベース部材１０４に固定されるようになっている。また、第１支持部材１２０の後側には、左右方向へ延在する補強リブ１２７が、左枠部および右枠部の後側において上下方向へ所要間隔毎に複数形成されていると共に、上下方向へ延在する補強リブ１２７が、上枠部および下枠部の後側において左右方向へ所要間隔毎に複数形成されており、該第１支持部材１２０は、回転する可動体１１１を支持するうえで必要な剛性が確保されている。なお、図２１中の符号１２８は、ベース部材１０４に設けられた位置決め孔(図示せず)に嵌合して、第１支持部材１２０を該ベース部材１０４に対して位置決めするための第１位置決めピンである。
【００４０】
前記上取付部１２４は、図１３、図１８〜図２１に示すように、第２支持部材１２１を固定するための台座部である。上取付部１２４の上面には、第２支持部材１２１を第１支持部材１２０に固定するネジが締結されるネジ孔が形成された複数(実施例では２つ)の第２ボス１２９,１２９が、左右に離間した位置に形成されている。また、上取付部１２４の上面には、第２支持部材１２１を位置決めする複数(実施例では２つ)の第２位置決めピン１３０,１３０が、左右に離間した位置において上方へ突出した状態に形成されている。更に、また、上取付部１２４の前端部には、第２支持部材１２１に配設された作動機構１１２を構成する駆動ギア１６１との干渉を回避する第１凹部１３１と、該第１凹部１３１の左側に位置して、第２支持部材１２１の位置決めおよび左右方向へのずれを規制する第２凹部１３２とが、前方および上下方向に開口するように形成されている。
【００４１】
前記下取付部１２５は、図１３、図１８〜図２１に示すように、第３支持部材１２２を固定するための台座部である。下取付部１２５の下面には、第３支持部材１２２を第１支持部材１２０に固定するネジが締結されるネジ孔が形成された複数(実施例では２つ)の第３ボス１３３,１３３が、左右に離間した位置に形成されている。また、下取付部１２５の下面には、第３支持部材１２２を位置決めする複数(実施例では２つ)の第３位置決めピン(図示せず)が、左右に離間した位置において下方へ突出した状態に形成されている。更に、下取付部１２５の前端部１３５は、第３支持部材１２２に配設された円形台座部１５０に後側から整合するよう後方へ凹となる円弧状に形成されている。
【００４２】
(第２支持部材)
前記第２支持部材１２１は、図１３、図１８〜図２１に示すように、前記作動機構１１２が配設されると共に、該作動機構１１２の従動ギア１６２を介して可動体１１１の上部を支持する板状の成形部材である。第２支持部材１２１は、その後側部分に、上取付部１２４に設けられた各第２位置決めピン１３０,１３０が嵌合する第３位置決め孔１４０,１４０が、左右に離間した位置に形成されると共に、上取付部１２４に設けられた各第２ボス１２９,１２９が整合する第１ネジ挿通孔１４１,１４１が、左右に離間した位置に形成されている。従って、第２支持部材１２１は、各第３位置決め孔１４０,１４０に上取付部１２４の各第２位置決めピン１３０,１３０を嵌合させると共に、該第２ネジ挿通孔１４１に挿通したネジ(図示せず)を該上取付部１２４の第２ボス１２９に締結することで、第１支持部材１２０の上部において前方へ延出した状態で固定される。
【００４３】
第２支持部材１２１の上面右側にモータ固定部１４２が設けられ、作動機構１１２を構成する駆動モータ１６０がモータ固定部１４２が固定されるようになっている。また、第２支持部材１２１における左右中央において前方へ延出した部分に軸支持孔１４３が設けられ、作動機構１１２を構成する従動ギア１６２の支持軸１６３が該軸支持孔１４３に挿通支持されるようになっている。更に、第２支持部材１２１の下面左側にセンサ固定部１４４が設けられ、従動ギア１６２に設けられた円板状の被検知板１６４を検知する位置検知センサ１６８が該センサ固定部１１４に取り付けられる。なお、第２支持部材１２１の前側には、所要の意匠形状に形成された第１上装飾部材１４６および第２上装飾部材１４７が取り付けられ、該第２支持部材１２１および作動機構１１２の各部材を、該第１上装飾部材１４６および第２上装飾部材１４７で前側から被覆するよう構成されている。
【００４４】
(第３支持部材)
前記第３支持部材１２２は、図１３、図１８〜図２１に示すように、環状に形成された円形台座部１５０と、該円形台座部１５０の内側に設けられた軸支持部１５１と、該円形台座部１５０の外周部から後方へ延出した取付板部１５２とを備えた成形部材である。取付板部１５２には、下取付部１２５に設けられた各第３位置決めピンが嵌合する第４位置決め孔１５３,１５３が、左右に離間した位置に形成されると共に、下取付部１２５に設けられた各第３ボス１３３,１３３が整合する第２ネジ挿通孔１５４,１５４が、左右に離間した位置に形成されている。従って、第３支持部材１２２は、各第４位置決め孔１５３,１５３に各第３位置決めピン１３４,１３４を嵌合させると共に、該第２ネジ挿通孔１５４に挿通したネジ(図示せず)を対応の第３ボス１３３に締結することで、第１支持部材１２０の下部において前方へ延出した状態で固定される。
【００４５】
円形台座部１５０は、図２０および図２１に示すように、その上面が平坦かつ環状の転動面１５５になっており、後述するように、可動体１１１の下固定部材１７５に配設された複数(実施例では３つ)の各回転支持ローラ２６０(図１２、図１３、図１８および図１９参照)が、該転動面１５５上を転動可能に構成されている。また、円形台座部１５０の内側に設けられた軸支持部１５１は、上下に貫通した円形に形成されており、該軸支持部１５１には、可動体１１１を支持する環状のスリーブ１５７が配設されるようになっている。なお、第３支持部材１２２の前側には、所要の意匠形状に形成された下装飾部材１５６が取り付けられ、該第３支持部材１２２を該下装飾部材１５６で前側から被覆するよう構成されている。
【００４６】
(スリーブ)
前記スリーブ１５７は、自己潤滑性を有する合成樹脂(ポリアセタール等)から形成されており、図２０および図２１に示すように、環状をなす管体部１５７Ａと、該管体部１５７Ａの外周面における上下中央部に、周方向へ延在すると共に径方向外方へ突出するフランジ部１５７Ｂとを備えている。そして、図１３に示すように、管体部１５７Ａにおけるフランジ部１５７Ｂから上方へ延出した部分が、可動体１１１の下固定部材１７５に設けられた支持筒部１７７に嵌合すると共に、該管体部１５７Ａにおける該フランジ部１５７Ｂから下方へ延出した部分が、第３支持部材１２２の軸支持部１５１に嵌合するよう構成されている。
【００４７】
(作動機構)
前記作動機構１１２は、図９、図１３、図１８および図２１に示すように、駆動手段としての駆動モータ１６０と、該駆動モータ１６０の駆動軸１６０Ａに固定された駆動ギア１６１と、該駆動ギア１６１に噛合した従動ギア１６２とから構成される。駆動モータ１６０は、駆動軸１６０Ａを減速回転させるギアボックス１６０Ｂを備えて、該ギアボックス１６０Ｂから延出した該駆動軸１６０Ａを下向きにした倒立状態で、第２支持部材１２１のモータ固定部１４２にネジ止めして固定される。なお、第２支持部材１２１には、駆動軸１６０Ａが挿通可能な挿通孔１４８が形成されており、モータ固定部１４２に駆動モータ１６０を固定した状態では、該駆動軸１６０Ａが第２支持部材１２１の下面から下方へ延出している。駆動ギア１６１は、平歯車であり、第２支持部材１２１から下方へ延出した駆動軸１６０Ａに固定され、該第２支持部材１２１の下方に位置している。
【００４８】
前記従動ギア１６２は、図１３、図２０および図２１に示すように、駆動ギア１６１に噛合可能な平歯車であり、第２支持部材１２１の軸支持孔１４３に垂直に配設されて該第２支持部材１２１の下方へ延出した回転支持軸１６３に固定され、該回転支持軸１６３の回転に伴って回転するようになっている。従動ギア１６２の上部には、該従動ギア１６２より大径に形成された円形の被検知板１６４が一体に形成され、前述した位置検知センサ１６８により検知されるようになっている。この被検知板１６４は、周方向における一部に切欠き部１６４Ａが形成されており、該切欠き部１６４Ａが位置検知センサ１６８に整合した状態が、可動体１１１の原点位置となるよう構成されている。なお、図１３、図２０および図２１中の符号１６７,１６７は、軸支持孔１４３に嵌合されて回転支持軸１６３に接触するスリーブである。
【００４９】
また、従動ギア１６２の下部には、図９および図１３に示すように、第１連結部１６５が該従動ギア１６２と一体に設けられており、可動体１１１の上固定部材１７０に形成された第２連結部１７２が、該第１連結部１６５に下方から嵌合するようになっている。第１連結部１６５は、円弧状に形成されて下方に開口した複数(実施例では２つ)の溝部１６６,１６６からなり、第２連結部１７２における円弧状に形成されて上方へ突出した複数(実施例では２つ)の突部１７３,１７３が各々下方から嵌合するようになっている。従って、第１連結部１６５の各溝部１６６,１６６に第２連結部１７２の各突部１７３,１７３が各々嵌合することで、該従動ギア１６２と可動体１１１とが、回転方向における相対的な変位が規制された状態で連結され、該従動ギア１６２の回転に可動体１１１が追従した従動回転するようになっている。
【００５０】
(可動体)
前記可動体１１１は、図９および図１０に示すように、該可動体１１１を構成する第１演出部１１３、第２演出部１１５および第３演出部１１７の各々の上部に、円板状に形成された前記上固定部材１７０を固定すると共に、各演出１１３,１１５,１１７の各々の下部に、円形状に形成された下固定部材１７５を固定することで、１つのユニット部材として構成される。そして、可動体１１１の内部には、図１３〜図１７に示すように、回転方向に並んで配設された第１〜第３演出部１１３,１１５,１１７により、平断面形状が略三角形をなして上下方向に延在する空間Ｓが画成されている。
【００５１】
(第１演出部)
前記第１演出部１１３は、図９、図１０(ａ)、図１３、図１４および図２２に示すように、可動体１１１の外方へ露出する第１外装部材(第３部材)１８０と、第１外装部材１８０に外方へ露出した状態で配設され、前記第１発光表示部１１４を構成する複数(実施例では７つ)の第１発光部材(第３発光部)１８１および複数(実施例では２つ)の第２発光部材１８２と、第１発光部材１８１および第２発光部材１８２の背面に配設される区画枠部材１８３と、区画枠部材１８３の背面に配設されるレンズ部材１８４とを備えている。第１外装部材１８０は、光が透過しない非透光性の部材であり、上下方向に延在して回転方向に離間した一対の外壁部１８５,１８５と、両外壁部１８５,１８５の上部に各々連設した上壁部１８６と、両外壁部１８５,１８５の下部に各々連設した下壁部１８７とを備えている。そして、各壁部１８５,１８５,１８６,１８６で囲まれた部分に、長六角形の輪郭形状に形成された７つの第１開口部１８８および正方形の輪郭形状に形成された２つの第２開口部１８９が画成されている。各外壁部１８６,１８６は、上下方向の中間部分が垂直に延在すると共に、上部分が上壁部１８６に近づくにつれて径方向内方へ傾斜すると共に下部分が下壁部１８７に近づくにつれて径方向内方へ傾斜する形状に形成され、中間部分が上固定部材１７０および下固定部材１７５より径方向外方に位置している。
【００５２】
そして、第１外装部材１８０の背面には、後方へ延出する複数(実施例では４つ)の第４ボス１９０と、後方へ突出する複数(実施例では２つ)の第３位置決めピン１９１が形成されている。また、上壁部１８６には、上固定部材１７０とネジ止めするためのネジが締結される第５ボス１９４が上方へ突設されている。更に、下壁部１８７には、下固定部材１７５とネジ止めするためのネジが締結される第６ボス１９５が上方に向けて突設されている。
【００５３】
第１外装部材１８０における第１開口部１８８は、７セグメントの各セグメントの配置位置に合わせて、３つの横長の第１開口部１８８が、上下に所要間隔で設けられると共に、３つの各第１開口部１８８間における左側および右側に、４つの縦長の第１開口部１８８が夫々設けられている。また、上および中央の各横長の第１開口部１８８および２つの縦長の第１開口部１８８で囲まれた部分が一方の第２開口部１８９となり、中央および下の各横長の第１開口部１８８および２つの縦長の第１開口部１８８で囲まれた部分が他方の第２開口部１８９となっている。
【００５４】
前記第１発光表示部１１４を構成する各第１発光部材１８１は、図２２(ａ)および図２２(ｂ)に示すように、光が透過可能な透明または半透明の透光性部材であり、各々が隣接する境界部分で連設されて単一の部材として構成されている。各第１発光部材１８１は、境界部分よりも前方へ膨出して、各々対応する第１開口部１８８に嵌合して外方へ露出するようになっている。また、各第１発光部材１８１は、その外面に複雑な凹凸模様が形成され、背面から照射されて透過した光を拡散可能な光拡散処理が施されている。そして、第１発光部材１８１で囲まれた部分に設置部１９２,１９２が形成され、該第１発光部材１８１と別体に形成された第２発光部材１８２,１８２が、各設置部１９２,１９２に嵌合して保持されるようになっている。各第１発光部材１８１は、図１４に示すように、第１外装部材１８０の背面に配設された第２発光基板２５０の裏面２５０Ｂに実装された第３ＬＥＤ(第３発光手段)２５４から照射された光が透過することで、個別または同時に照明されて外面が明輝する。
【００５５】
前記第１発光表示部１１４を構成する各第２発光部材１８２は、光が透過可能な半透明(スモーク)の透光性部材であり、背面には、所要のデザインが印刷形成された薄肉で透光性を有するシート材１９３が配設されている。ここで、シート材１９３には、例えば遊技者に対しボタン操作を促す「ボタンＰＵＳＨ」の文字や、大当りの成立を示唆する「チャンス」等の文字や、イラスト等が印刷されている。従って、各第２発光部材１８２は、背面から光が照射されていない状態では、正面からシート材１９３の文字が透視できず、背面から光が照射された場合には、シート材１９３に形成された文字やイラストが浮び上がって透視可能に構成されている。各第２発光部材１８２は、図１４に示すように、第２発光基板２５０の裏面２５０Ｂに実装された第４ＬＥＤ２５５の光が照射されることで、個別または同時に照明されて外面が明輝する。
【００５６】
前記区画枠部材１８３は、図２２(ａ)および図２２(ｂ)に示すように、各第１発光部材１８１を囲繞する隔壁１９７を備えている。そして、区画枠部材１８３は、各隔壁１９７の端部が各第１発光部材１８１を連設する部分に当接した状態で配設される。これにより、各第１発光部材１８１は、隔壁１９７により外縁部分が囲繞されている。従って、第３ＬＥＤ２５４が対応の第１発光部材１８１を照明する際に、当該第１発光部材１８１に隣接する別の第１発光部材１８１側や第２発光部材１８２側へ当該第３ＬＥＤ２５４の光が照射されることを防止し得るようになっている。また、各第２発光部材１８２は、第１発光部材１８１と第２発光部材１８２との境界部分に位置する４つの隔壁１９７により囲繞され、第４ＬＥＤ２５５からの光により背面から照明された際に、当該第２発光部材１８１に隣接する第１発光部材１８１が照明されることを防止し得るようになっている。また、各隔壁１９７におけるレンズ部材１８４側の端部には、後方へ延出した複数のリブ１９８が形成されている。
【００５７】
前記レンズ部材１８４は、図２２(ａ)および図２２(ｂ)に示すように、各第１発光部材１８１の背面に正対する７つの第１レンズ部２００と、各第２発光部材１８２の背面に正対する第２レンズ部２０１とが、一体に形成された単一の部材である。各第１レンズ部２００は、第３発光表示部１１８とは異なる凹凸模様(実施例では、複数の凸球面状)が表面に形成され、光拡散処理が施されている。また、各第２レンズ部２０１は、第１レンズ部２００とは異なる凹凸模様が背面に形成され、光拡散処理が施されている。また、第１レンズ部２００と第１レンズ部２００との境界部分や、第１レンズ部２００と第２レンズ部２０１との境界部分には複数のスリット２０２が形成されており、区画枠部材１８３に形成された前記リブ１９８が、各々のスリット２０２に突入して嵌合するようになっている。従って、区画枠部材１８３とレンズ部材１８４とは、各スリット２０２に各リブ１９８が嵌合することで、互いの位置決めおよびずれ防止が図られる。また、各リブ１９８は、隣接するレンズ部２００,２０１を区画して、レンズ部２００,２０１を透過する光が隣接するレンズ部２００,２０１側へ透過するのを防止し得るようになっている。
【００５８】
(第２演出部)
前記第２演出部１１５は、図１０(ｂ)、図１５、図２３(ａ)および図２３(ｂ)に示すように、可動体１１１の外方へ露出する第２外装部材(第１部材)２１０と、第２外装部材２１０の外側に配設され、前記第２発光表示部１１６を構成する複数(実施例では３つ)の第３発光部材(第１発光部)２１１と、第２外装部材２１０の背面側に配設されるレンズ部材２１２とを備えている。第２外装部材２１０は、光が透過しない非透光性の部材であり、可動体１１１の前記空間Ｓ側へ凹むと共に外方へ開口した形状に形成されている。すなわち、第２外装部材２１０は、上下方向が長手となると共に回転方向が短手となる第１壁部２１３と、第１壁部２１３の上縁から外方へ延出した上壁部２１４と、第１壁部２１３の下縁から外方へ延出した下壁部２１５と、第１壁部２１３の上下方向に延在する一方の縁部から外方へ斜めに延出した第１側壁部(一方側端部)２１６と、第１壁部２１３の上下方向に延在する他方の縁部から外方へ斜めに延出した第２側壁部(他方側端部)２１７とを備えている。第１壁部２１３の外面は、上下方向に延在する突状部および凹状部が交互に複数整列した波板状に形成されると共に、レンズ部材２１２の各レンズ部２２５が挿通される複数(実施例では３つ)の開口２１８が、上下に間隔をおいて形成されている。なお、各開口２１８は、各レンズ部２２５の形状に合わせて、開口形状および開口サイズが異なっている。
【００５９】
上壁部２１４は、上面が平坦に形成されると共に、延出端が上固定部材１７０の外周縁に沿う凸状の円弧をなす形状であり、上固定部材１７０に形成された位置決め孔(図示せず)に下方から嵌合する第４位置決めピン２１９が上方へ突設されると共に、上固定部材１７０とネジ止めするためのネジが締結される第７ボス２２０が上方へ突設されている。また下壁部１８７は、下面が平坦に形成されると共に、延出端が下固定部材１７５の外周縁に沿う凸状の円弧をなす形状であり、下固定部材１７５に形成された位置決め孔(図示せず)に下方から嵌合する第５位置決めピン２２１が下方へ突設されると共に、下固定部材１７５とネジ止めするためのネジが締結される第８ボス２２２が下方へ突設されている。また、第１側壁部２１６および第２側壁部２１７は、第１壁部２１３から径方向外方へいくにつれて、回転方向での間隔が徐々に大きくなるように形成されている。
【００６０】
前記第２発光表示部１１６を構成する各第３発光部材２１１は、図１５、図２３(ａ)および図２３(ｂ)に示すように、第２外装部材２１０の第１壁部２１３の外側に、該第１壁部２１３に形成された各開口２１８を個別に塞いた状態で配設されている。各第３発光部材２１１は、光が透過可能な透明または半透明の透光性部材であり、外面が宝石を模した意匠形状に形成されると共に、背面側における開口２１８に整合する部分が、当該第３発光部材２１１の内側へ凹んでいる。そして、各第３発光部材２１１は、図１５に示すように、第２外装部材２１０の第１壁部２１３の背面に配設された第１発光基板２４５の表面２４５Ａに実装された第１ＬＥＤ(第１発光手段)２４６からの照射光が透過することで、個別または同時に照明されて外面全体が明輝するようになっている。なお、実施例では、各第３発光部材２１１のサイズが異なっており、上に位置する第３発光部材２１１が最も大きく、次いで中央に位置する第３発光部材２１１、下に位置する第３発光部材２１１の順で小さくなっている。
【００６１】
前記レンズ部材２１２は、図１５、図２３(ａ)および図２３(ｂ)に示すように、第２外装部材２１０の第１壁部２１３の背面に当接する板部２２４と、該板部２２４から外方へ膨出する３つのレンズ部２２５,２２５,２２５とが一体に形成された成形部材である。各レンズ部２２５は、外面が第１ＬＥＤ２４６からの照射光を乱反射し得るように形成されており、第１壁部２１３に形成された各開口２１８から外方へ突出して、対応する第３発光部材２１１の背面側から内側へ嵌合するよう構成されている。なお、レンズ部材２１２は、第３発光部材２１１を固定するネジを利用して、板部２２４が第１壁部２１３の背面に当接した状態で固定される。
【００６２】
(第３演出部)
前記第３演出部１１７は、図１０(ｃ)、図１７、図２４(ａ)および図２４(ｂ)に示すように、可動体１１１の外方へ露出して配設され、前記第３発光表示部１１８を構成する第３外装部材(第２部材)２３０と、第３外装部材２３０の外側に配設される装飾部材２３１とを備えている。第３外装部材２３０は、光が透過可能な透明または半透明の透光性部材であり、可動体１１１の前記空間Ｓ側へ凹んで外方へ開口した形状に形成されている。第３外装部材２３０は、上下方向が長手となると共に回転方向が短手となる第１発光壁部(第２発光部)２３３と、第１発光壁部２３３の上下方向に延在する他方の縁部から外方へ斜めに延出した第２発光壁部(第２発光部)２３２と、第１発光壁部２３３および第２発光壁部２３２の上縁から外方へ延出した上壁部２３４と、第１発光壁部２３３および第２発光壁部２３２の下縁から外方へ延出した下壁部２３５と、第１発光壁部２３３の上下方向に延在する一方の縁部から該第１発光壁部２３３と略同一面となるように延出した側壁部(一方側端部)２３６とを備えている。すなわち、第３外装部材２３０は、前記第１発光壁部２３３および第２発光壁部２３２が、後述する第２発光基板２５０の表面２５０Ａに実装された第２ＬＥＤ(第２発光手段)２５３により背面側から照明される第２発光部として機能するよう構成されている。第３外装部材２３０は、第１発光壁部２３３および第２発光壁部２３２の背面に、微細な凹凸が形成された光拡散処理が施されている。また、上壁部２３４、下壁部２３５および側壁部２３６の背面も光拡散処理が施されており、該上壁部２３４、下壁部２３５および側壁部２３６は、第２ＬＥＤ２５３の光を適宜拡散し得るようになっている。
【００６３】
図１７に示すように、第２発光壁部２３２は、第２発光基板２５０の表面２５０Ａと正対して該表面２５０Ａと平行となる向きに配設されている。これにより、第２発光基板２５０の表面２５０Ａに実装された第２ＬＥＤ２５３の光が、第２発光壁部２３２の背面に対して略直交する方向から照射するようになっている。一方、第１発光壁部２３３は、第２発光基板２５０の表面２５０Ａに対し傾斜した姿勢で配設されている。すなわち、第１発光壁部２３３は、第２発光壁部２３２と連設する縁側が第２発光基板２５０の表面２５０Ａに近接し、該第２発光壁部２３２から離れるに従って第２発光基板２５０の表面２５０Ａから離間する向きに傾斜している。これにより、第２ＬＥＤ２５３から照射された光が、第２発光壁部２３２の背面に対し斜め方向から入射するよう構成されている。
【００６４】
上壁部２３４は、上面が平坦に形成されると共に、延出端が上固定部材１７０の外周縁に沿う凸状の円弧をなす形状であり、上固定部材１７０に形成された位置決め孔(図示せず)に下方から嵌合する第６位置決めピン２３７が上方へ突設されると共に、上固定部材１７０とネジ止めするためのネジが締結される第９ボス２３８が上方へ突設されている。また下壁部２３５は、下面が平坦に形成されると共に、延出端が下固定部材１７５の外周縁に沿う凸状の円弧をなす形状であり、下固定部材１７５に形成された位置決め孔(図示せず)に下方から嵌合する第７位置決めピン２３９が下方へ突設されると共に、下固定部材１７５とネジ止めするためのネジが締結される第１０ボス２４０が下方へ突設されている。
【００６５】
前記装飾部材２３１は、光が透過可能な半透明の透光性部材であり、図１０(ｂ)、図１７、図２４(ａ)および図２４(ｂ)に示すように、手先における５本の指を模した意匠形状に形成されている。また、装飾部材２３１における中指および薬指を模した部分に開口２４１,２４１が形成されて、指輪の宝石を模した透光性を有する透光部材２４２,２４２が、該開口２４１,２４１に装着されている。従って、装飾部材２３１は、第３外装部材２３０の第１発光壁部２３３および第２発光壁部２３２を照明した光により背面から照明されると共に、各透光部材２４２,２４２が明輝するようになっている。
【００６６】
(第１発光基板)
図１４〜図１７に示すように、前記第２演出部１１５を構成する第２外装部材２１０における第１壁部２１３の背面に、各第３発光部材２１１を背面側から照明する第１発光基板２４５がネジ止めされている。第１発光基板２４５は、前記空間Ｓ内に収容可能なサイズに形成され、第１発光基板２４５における第１壁部２１３と対向する表面２４５Ａには、各第３発光部材２１１を個別に照明する複数の第１ＬＥＤ２４６が実装されている。ここで、実施例では、図２３(ａ)に示すように、上の第３発光部材２１１の照明用として４つの第１ＬＥＤ２４６(２４６Ａ)が実装され、中央の第３発光部材２１１の照明用として３つの第１ＬＥＤ２４６(２４６Ｂ)が実装される共に、下の第３発光部材２１１の照明用として２つの第１ＬＥＤ２４６(２４６Ｃ)が実装されている。更に、第１発光基板２４５は、表面２４５Ａと反対側、すなわち第３演出部１１７の第１発光壁部２３３側に向いた裏面２４５Ｂは、表面処理が施されて、照射された光を反射可能になっている。
【００６７】
(第２発光基板)
第１外装部材１８０の背面には、図２２(ａ)および図２２(ｂ)に示すように、第２発光基板２５０が取り付けられている。第２発光基板２５０には、第１外装部材１８０の背面に形成された前記第３位置決めピン１９１が嵌合する複数(実施例では２つ)の第５位置決め孔２５１が形成されていると共に、該第１外装部材１８０の背面に形成された前記第４ボス１９０に形成されたネジ孔に整合する複数(実施例では４つ)の第３ネジ挿通孔２５２が形成されている。これにより、第２発光基板２５０は、各第５位置決め孔２５１に第３位置決めピン１９１を嵌合させると共に、各第３ネジ挿通孔２５２に挿通したネジを対応の第４ボス１９０のネジ孔に締結することで、第２外装部材２１０との間に第１発光部材１８１および第２発光部材１８２、区画枠部材１８３およびレンズ部材１８４を挟んだ状態で第１外装部材１８０にネジ止めされる。第１外装部材１８０に取り付けられた第２発光基板２５０は、空間Ｓ側に向いた表面２５０Ａに、第３発光表示部１１８を構成する前記第１発光壁部２３３および第２発光壁部２３２を背面から照射する複数の第２ＬＥＤ２５３が実装されると共に、前記第１発光表示部１１４を構成する第１発光部材１８１および第２発光部材１８２側に向いた裏面２５０Ｂに、該第１発光部材１８１を背面から照射する複数の第３ＬＥＤ２５４と、該第２発光部材１８２を背面から照射する複数の第４ＬＥＤ２５５が実装されている。ここで、第２ＬＥＤ２５３は、図１７に示すように、第１発光壁部２３３の背面に向いて実装されたものと、第２発光壁部２３２の背面に向いて実装されたものと、第１発光基板２４５の裏面２４５Ｂに向いて実装されたものとがある。また、実施例では、７つの各第１発光部材１８１が、夫々複数(実施例では９個ずつ)の第３ＬＥＤ２５４で背面から照明されると共に、２つの各第２発光部材１８２は、夫々複数(実施例では４個ずつ)の第４ＬＥＤ２５５で背面から照明されるように構成されている。
【００６８】
(上固定部材および下固定部材)
前記可動体１１１は、図９、図１２および図１３に示すように、第１外装部材１８０、第２外装部材２１０および第３外装部材２３０における各上壁部１８６,２１４,２３４に固定される上固定部材１７０と、各外装部材１８０,２１０,２３０の各下壁部１８７,２１５,２３５に固定される下固定部材１７５とで相互に連結される。上固定部材１７０は、円板状に形成されて、各上壁部１８６,２１４,２３４に設けられた各第５ボス１９４、第７ボス２２０、第９ボス２３８に整合するネジ挿通孔１７１が形成されると共に、上面中央には、前記従動ギア１６２に設けられた第１連結部１６５に下方から嵌合する突部１７３,１７３からなる第２連結部１７２が設けられている。また、下固定部材１７５は、図９、図１２および図１３に示すように、円板状に形成されて、各下壁部１８７,２１５,２３５に設けられた各第６ボス１９５、第８ボス２２２、第１０ボス２４０に整合するネジ挿通孔１７６が形成されると共に、下面中央には、前記第３支持部材１２２に設けられた軸支持部１５１に上方から回転可能に嵌合する支持筒部１７７が設けられている。
【００６９】
上固定部材１７０および下固定部材１７５により相互に連結された第１〜第３演出部１１３,１１５,１１７は、図１４〜図１７に示すように、第２演出部１１５の第２外装部材２１０における第２側壁部２１７と、第３演出部１１７の第３外装部材２３０における側壁部２３６とが、互いの裏面を正対した状態となっている。また、第２演出部１１５の第２外装部材２１０における第１側壁部２１６と、第３演出部１１７の第３外装部材２３０における第１発光壁部２３３が、第１演出部１１３の第１外装部材１８０の背面に配設した第２発光基板２５０の表面２５０Ａと正対した状態となっている。すなわち、第２外装部材２１０と第２外装部材２３０とは、軸線ＣＬを中心とした回転方向の一方側端部が相互に近接すると共に他方側端部が相互に離間した傾斜姿勢で配設されている。そして、第２外装部材２１０の第１壁部２１３に取り付けられた第１発光基板２４５は、空間Ｓ内に収容した状態で配設されると共に、第１外装部材１８０に取り付けられた第２発光基板２５０は、空間Ｓの外側に位置して該空間Ｓを画成している。これにより、第１発光基板２４５は、第２発光基板２５０から離れるにつれて第３外装部材２３０の第２発光壁部２３２に近づくよう該第２発光基板２５０に対して傾斜した姿勢で配設されている。
【００７０】
そして、実施例の第２演出装置１０２および第３演出装置１０３は、第１発光基板２４５における第２発光壁部２３２側の裏面２４５Ｂにより、第２発光基板２５０の第２ＬＥＤ２５３から照射された光を、該第２発光壁部２３２に向けて反射可能に構成されている。すなわち、第２演出部１１５の第２発光壁部１８２は、第２発光基板２５０の第２ＬＥＤ２５３から直接入射する光と、第１発光基板２４５の裏面２４５Ｂで反射して入射した光とで照明されるよう構成されている。また、第２発光基板２５０の側壁部２３６は、図１７に示すように、第２演出部１１３の第２外装部材２１０および第１発光基板２４５が、第２発光基板２５０の第２ＬＥＤ２５３からの光を遮る位置にあるため、該第２ＬＥＤ２５３の光が直接入射されない。しかし、第２発光壁部２３２に対し斜め方向から入射した光が側壁部２３６側へ透過するようになり、該側壁部２３６は透過した光により照明されるようになっている。
【００７１】
従って、第２演出部１１５の第２外装部材２１０は、図１７に示すように、第２発光基板２５０の第２ＬＥＤ２５３の発光時に、第２ＬＥＤ２５３に近接かつ正対する第１発光壁部２３３が、該第２ＬＥＤ２５３から入射する光により最も明るく照明される領域(高輝領域)となる。そして、第２発光基板２５０の裏面２５０Ｂに対して離間しかつ傾斜している第２発光壁部２３２は、第１発光壁部２３１より暗く照明され、かつ第１発光基板２５０に近い第１発光壁部２３１側が最も明るく、該第１発光壁部２３１側から側壁部２３６側に向けて徐々に暗くなるよう照明され、高輝領域より暗い領域(中輝領域)となる。また、側壁部２３６は、第２発光壁部２３２から透過した光により僅かに明るくなり、中輝領域より暗い領域(低輝領域)となる。
【００７２】
(回転支持ローラ)
図１２、図１８および図１９に示すように、下固定部材１７５の下面に、前記円形台座部１５０の転動面１５５上を周方向へ転動する複数(実施例では３個)の回転支持ローラ２６０が配設されている。下固定部材１７５の下面には、ローラ配設部１７８が、軸線ＣＬを中心とした円の円周上において周方向へ等間隔(実施例では１２０°)に配設されている。ローラ配設部１７８は、下固定部材１７５の下面に、回転支持ローラ２６０の約１／２が収納可能な深さの凹部１７８Ａと、軸心ＣＬから放射方向に延在して、凹部１７８Ａの両側に設けられた軸支部１７８Ｂとを備えている。また、回転支持ローラ２６０は、ローラの端面中心から両外方へ延出するシャフト２６１を備えており、該シャフト２６１を軸支部１７８Ｂに整合させることで、凹部１７８Ａ内に上側の約１／２部分が収容されると共に、下側の約１／２部分が下固定部材１７５の下面から下方へ突出するようになる。なお、下固定部材１７５の下面にはローラ保持部材２６２が固定され、各ローラ配設部１７８にセットした回転支持ローラ２６０のシャフト２６１を、該ローラ保持部材２６２で保持するようになっている。従って、可動体１１１は、下固定部材１７５に、同一円周上に周方向へ向いて配設された３個の回転支持ローラ２６０が、円形台座部１５０の転動面１５５に接触した状態で支持体１１０に支持され、軸線ＣＬを中心としてスムーズに回転し得るようになっている。
【００７３】
(実施例の作用)
前述のように構成された実施例のパチンコ機１０は、図柄表示装置１００における第１〜第３演出装置１０１,１０２,１０３をベース部材１０４に各々固定したもとで、設置部材６５の設置壁部６６に設けられた設置部６９に該ベース部材１０４を固定することで遊技盤３０の第１演出領域５８Ａに臨み、パチンコ機１０の前側から視認される(図３参照)。そして、図柄表示装置１００は、統括制御基板２６５の制御に基づき、通常の図柄変動演出において、第１演出装置１０１は通常表示姿勢とされると共に、第２演出装置１０２および第３演出装置１０３は、第１演出部１１３が前方に向いた第１演出姿勢とされる。そして、第１演出装置１０１の発光表示部１０５において中図柄列の図柄を表示し、第２演出装置１０２の第１発光表示部１１４で左図柄列の図柄を表示すると共に、第３演出装置１０３の第１発光表示部１１４で右図柄列の図柄を表示する。
【００７４】
そして、図柄変動演出において例えばリーチが発生した場合、第１演出装置１０１では、発光表示部１０５を通常表示姿勢から退避姿勢へ変更し、第２演出装置１０２および第３演出装置１０３では、第２発光表示部１１６を前方に向けた第２演出姿勢や、第２発光表示部１１６および第３発光表示部１１８の両方が正面から視認可能な第３演出姿勢や、第３発光表示部１１８を前方に向けた第４演出姿勢に変更する。これにより、遊技盤３０の第１演出領域３８Ａには、第１演出装置１０１における演出装置１０８と、第２演出装置１０２および第３演出装置１０３における第２発光表示部１１６または第３発光表示部１１８とが表示されるようになり、第１演出領域３８Ａ内での演出内容が大きく変化して遊技の興趣の向上を図ることができる。すなわち、互いに横並びに隣接して配設された第１〜第３演出装置１０１,１０２,１０３は、第１演出装置１０１の通常表示姿勢と、第２および第３演出装置１０２,１０３の第１演出姿勢とにおいて、第１演出領域３８Ａの全体において図柄変動演出を行なうための一連をなす意匠を形成する。また、第１〜第３演出装置１０１,１０２,１０３は、第１演出装置１０１の退避姿勢と、第２および第３演出装置１０２,１０３の第２演出姿勢、第３演出姿勢および第４演出姿勢において、第１演出領域３８Ａの全体においてリーチ演出を行なうための一連をなす別の意匠を形成するようになる。従って、通常の図柄変動演出においても第１演出領域３８Ａ内を大きく使った迫力ある演出を行なうことができ、リーチ演出等においても、該第１演出領域３８Ａ内を大きく使った迫力ある演出を行なうことができる。
【００７５】
(第２演出装置および第３演出装置の動作態様)
前記第２演出装置１０２および第３演出装置１０３は、駆動モータ１６０を正逆回転制御することにより、可動体１１１が支持体１１０に対して第２支持部材１２１および第３支持部材１２２の軸線ＣＬを中心として約１８０度の範囲で回転し、図３に示す第１演出姿勢、図５に示す第２演出姿勢、図６に示す第３演出姿勢および図７に示す第４演出姿勢に姿勢変位する。なお、可動体１１１は、駆動モータ１６０の回転速度を変化させたり、該駆動モータ１６０を正回転および逆回転を微小かつ短時間に繰り返すことで、第１演出姿勢と第２演出姿勢との姿勢変位、第２姿勢と第３姿勢との姿勢変位、第３演出姿勢と第４演出姿勢との姿勢変位を多様に変化させることが可能であり、リーチ演出時の演出効果を高め得る。また、可動体１１１は、下固定部材１７５に配設した３つの回転支持ローラ２６０により第３支持部材１２２の円形台座部１５０に載置されているので、各回転支持ローラ２６０の回転により軸線ＣＬを中心として両方向へスムーズに回転する。
【００７６】
(第２演出装置および第３演出装置の演出態様)
第２演出装置１０２および第３演出装置１０３は、図３および図１４に示す第１演出姿勢において、第１演出部１１３がパチンコ機１０の前方に向いて第１発光演出部１１４が該パチンコ機１０の正面に位置するので、各第１発光部材１８１および各第２発光部材１８２による発光演出を適切に表示することができる。すなわち、各第１発光部材１８１は、第２発光基板２５０の裏面２５０Ｂに設けられた第３ＬＥＤ２５４からの照射光がレンズ部材１８４の第１レンズ部２００で拡散され、拡散された光が透過して照明される。しかも、レンズ部材１８４と第１発光部材１８１との間に配設された区画枠部材１８３により、第３ＬＥＤ２５４の照射光が該区画枠部材１８３の隔壁１９７によって該隔壁１９７の側方へ漏れることが防止されるので、当該第３ＬＥＤ２５４の正面に位置する第１レンズ部２００のみが照射されて、第１レンズ部２００の正面に位置する第１発光部材１８１の全体を均一に照明する。従って、第２演出装置１０２および第３演出装置１０３の第１発光演出部１１４は、各第１発光部材１８１が個別に鮮明かつ明るく明輝され、図柄変動演出における図柄の変動演出および停止表示を適切に行なうことができる。
【００７７】
また、各第２発光部材１８２では、第２発光基板２５０の裏面２５０Ｂに設けられた第４ＬＥＤ２５５からの照射光が、第２発光部材１８２を背面から直接入射するようになる。しかも、第２発光部材１８２とレンズ部材１８４との間に配設された区画枠部材１８３により、第４ＬＥＤ２５５の照射光が該区画枠部材１８３の隔壁１９７によって該隔壁１９７の側方へ漏れることが防止されるので、当該第４ＬＥＤ２５５の正面に位置する第２発光部材１８２のみが照射されて、当該第２発光部材１８２の全体が均一に照明される。従って、第２演出装置１０２および第３演出装置１０３の第１発光演出部１１４は、各第２発光部材１８２が個別に鮮明かつ明るく明輝され、シート材１９３に印刷された文字やイラスト等を鮮明に表示することができる。
【００７８】
第２演出装置１０２および第３演出装置１０３は、図５および図１５に示す第２演出姿勢に変位すると、第２演出部１１５がパチンコ機１０の前方に向いて第２発光演出部１１６が該パチンコ機１０の正面に位置するので、各第３発光部材２１１による発光演出を適切に表示することができる。すなわち、各第３発光部材２１１は、第１発光基板２４５の表面２４５Ａに設けられた第１ＬＥＤ２４６からの照射光が、レンズ部材２１２の各レンズ部２２５で拡散された後に背面から入射して照明される。しかも、第１発光基板２４５の第１ＬＥＤ２４６が、第３発光部材２１１の背面において該第３発光部材２１１に正対しているので、該第１ＬＥＤ２４６からの照射光は、レンズ部２２５で拡散された後に各第３発光部材２１１に直接入射するようになり、該第３発光部材２１１の全体が明るく明輝されるようになる。従って、第２演出装置１０２および第３演出装置１０３の第２発光演出部１１６は、３つの第３発光部材２１１が個別に鮮明かつ明るく明輝され、かつ第１発光演出部１１４とは異なる発光態様となり、リーチ演出を適切に行なうことができる。しかも、第２外装部材２１０が非透光部材であるから、各第３発光部材２１１のみが明輝されて、該第３発光部材２１１が浮き上がって見えるような演出が行なわれる。
【００７９】
更に、第２演出装置１０２および第３演出装置１０３は、図６および図１６に示す第３演出姿勢において、第２演出部１１５の第２発光演出部１１６および第３演出部１１７の第３発光演出部１１８の両方が、パチンコ機１０の前側から視認可能であると共に、第２発光基板２５０の表面２５０Ａがパチンコ機１０の正面に向いた状態となる(図１６参照)。このため、第３演出部１１７では、第２発光基板２５０の表面２５０Ａに実装された各第２ＬＥＤ２５３の光がパチンコ機１０の前方へ照射されるので、第３外装部材２３０の第１発光壁部２３３および第２発光壁部２３２が最も明るく明輝する状態となり、手先を模した演出部材２３１が強調される演出がなされる。また、第３演出姿勢においては、第２演出部１１５および第３演出部１１７の両方が視認されるため、駆動モータ１６０を正逆回転させて可動体１１１を第２演出姿勢側および第４演出姿勢側へ往復回転させることで、リーチ演出に対する興趣の向上を図り得る。
【００８０】
更に、第２演出装置１０２および第３演出装置１０３は、図７および図１７に示す第４演出姿勢において、第３演出部１１７がパチンコ機１０の前方に向いて第３発光演出部１１８が該パチンコ機１０の正面に位置するので、第３外装部材２３０の第１発光壁部２３３および第２発光壁部２３２による発光演出を適切に表示することができる。すなわち、第３外装部材２３０の第１発光壁部２３３は、第２発光基板２５０の表面２５０Ａと正対して、該表面２５０Ａに設けられた第２ＬＥＤ２５３が背面に近接しているので、該第２ＬＥＤ２５３からの照射光が直接入射して明るく明輝された高輝領域となる。また、第２発光壁部２３２は、第２発光基板２５０の表面２５０Ａに対し傾斜しているので、該第２発光基板２５０に近接した部分は明るく、該第２発光基板２５０から遠くなるに従って徐々に暗くなるように明輝された中輝領域となる。なお、第２発光壁部２３２は、第２ＬＥＤ２５３から直接入射される光および第１発光基板２４５の裏面２４５Ｂで反射した後に入射される光により効率的に照明される。また、第３外装部材２３０の側壁部２３６は、第２発光壁部２３３に斜め方向から入射した第２ＬＥＤ２５３の光が該側壁部２３６へ透過することで、僅かに明るくなった低輝領域となる。すなわち、第２演出装置１０２および第３演出装置１０３の第３発光演出部１１８は、第３外装部材２３０が、明るさが異なる高輝領域、中輝領域および低輝領域に分かれた照明がなされるので、第１発光演出部１１４および第２発光演出部１１６とは異なる発光態様となり、リーチ演出の多様化を図り得る。
【００８１】
そして、実施例のパチンコ機１０における第２演出装置１０２および第３演出装置１０３によれば、作動機構１１２における駆動モータ１６０の駆動により、第１発光演出部１１４がパチンコ機１０の前方を向いた第１演出姿勢、第２発光演出部１１６がパチンコ機１０の前方を向いた第２演出姿勢、第２発光演出部１１６および第３発光演出部１１８の両方が視認可能な第３演出状態および第３発光演出部１１８がパチンコ機１０の前方を向いた第４演出姿勢とに切り替え可能となっているので、演出の多様化を図ることができる。また、第１発光演出部１１４、第２発光演出部１１６および第３発光演出部１１８は、各々発光態様が異なっているので、多彩な演出を行なうことができる。
【００８２】
また、第２演出装置１０２および第３演出装置１０３の可動体１１１は、第２外装部材２１０および第３外装部材２３０を、回転方向の一方側端部が相互に近接すると共に他方側端部が相互に離間した傾斜姿勢で配設して、両外装部材２３０の間に画成された空間Ｓ内に第１発光基板２４５を配設し、該空間Ｓの外側に第２発光基板２５０を配設するようにした。従って、可動体１１１をコンパクトに構成することができ、第２演出装置１０２および第３演出装置１０３の小型化を図り得る。また、空間Ｓを小さくすることで、第２外装部材２１０を該空間Ｓ側へ凹んだ形状として、該第２外装部材２１０の外側には、宝石を模した立体形状の第３発光部材２１１を、外方へ突出することなく配設することができる。同様に、第３外装部材２３０を該空間Ｓ側へ凹んだ形状として、該第３外装部材２３０の外側には、手を模した立体形状の装飾部材２３１を、外方へ突出することなく配設することができる。これにより、可動体１１１のデザインの多様化も図られ、演出における興趣の向上を図り得る。
【００８３】
更に、第２演出装置１０２および第３演出装置１０３の可動体１１１は、第２発光基板２５０の表面２５０Ａに実装された第２ＬＥＤ２５３により第３外装部材２３０の第１発光壁部２３３および第２発光壁部２３２を照明すると共に、該第２発光基板２５０の裏面２５０Ｂに実装された第３ＬＥＤ２５４および第４ＬＥＤ２５５により第１発光部材１８１および第２発光部材１８２を各々照明するよう構成した。すなわち、第１発光壁部２３３および第２発光壁部２３２の照明用の基板と、第１発光部材１８１および第２発光部材１８２の照明用の基板とを、個別に設けずに１つの第２発光基板２５０で共用しているので、コスト削減を図り得ると共に第２演出装置１０２および第３演出装置１０３の小型化および軽量化を図り得る。
【００８４】
(変更例)
本発明に係る遊技機は、実施例に例示の形態に限らず種々の変更が可能である。
（１）実施例では、上下方向に延在する軸線ＣＬを中心として縦向き姿勢で回転する可動体１１１を例示したが、可動体１１１は、左右方向に延在する軸線を中心として横向き姿勢で回転するもの、前後方向に延在する軸線を中心として横向き姿勢で回転するもの、左下がり、右下がり、前下がりおよび後下がりに延在する軸線を中心とした傾斜姿勢で回転するもの等であってもよい。
（２）実施例では、第２外装部材２１０の背面に第１発光基板２４５を配設した形態を例示したが、第１発光基板２４５を第３外装部材２３０の背面に配設して、第２外装部材２１０の外側に配設した第３発光部材２１１を、第２発光基板２５０の第２ＬＥＤ２５３で背面から照明するよう構成してもよい。この場合には、第１発光基板２４５の裏面２４５Ｂにより、第２ＬＥＤ２５３から照射される光を第３発光部材２１１に向けて反射させるように構成することで、該第３発光部材２１１を効率的に照明することができる。
（３）実施例では、第１〜第３演出部１１３,１１５,１１７の３つの演出部から構成された可動体１１１を例示したが、演出部の構成数は２つでもよいし、４つ以上であってもよい。また、第１〜第３演出部１１３,１１５,１１７の各第１〜第３発光演出部１１４,１１６,１１８の形態は、実施例で例示したものに限らず、様々な意匠に構成することが可能である。
（４）第１〜第４ＬＥＤ２４６,２５３,２５４,２５５の配設数および配設位置は、実施例で例示したものに限らず、様々に変更可能である。
（５）実施例では、第２演出装置１０２および第３演出装置１０３は、実施例で例示した図柄表示装置１００を構成するものに限らず、単独の演出装置として構成されるものであってもよい。この場合には、第２演出装置１０２および第３演出装置１０３は、遊技盤１０に限らず、前枠１３に配設したり、中枠１２における前枠１３の窓口１５から視認可能な位置に配設してもよい。
（６）実施例では、遊技機としてのパチンコ機を示したが、遊技機はパチンコ機に限られるものではなく、アレンジボール機やスロットマシン等であってもよい。
【符号の説明】
【００８５】
１０１ 別の演出装置(第１演出装置)
１０２ 演出装置(第２演出装置)
１０３ 演出装置(第３演出)装置
１６０ 駆動モータ(駆動手段)
１８０ 第１外装部材(第３部材)
１８１ 第１発光部材(第３発光部)
２１０ 第２外装部材(第１部材)
２１１ 第３発光部材(第１発光部)
２１６ 第１側壁部(一方側端部)
２１７ 第２側壁部(他方側壁部)
２３０ 第３外装部材(第２部材)
２３２ 第１発光壁部(他方側壁部)
２３３ 第２発光壁部(第２発光部)
２３６ 側壁部(一方側端部)
２４５ 第１発光基板
２４５Ａ 表面(面)
２４５Ｂ 裏面(面)
２４６ 第１ＬＥＤ(第１発光手段)
２５０ 第２発光基板
２５０Ｂ 裏面(面)
２５３ 第２ＬＥＤ(第２発光手段)
２５４ 第３ＬＥＤ(第３発光手段)
ＣＬ 軸線
【図１】
2015029729.tif 000003
【図２】
2015029729.tif 000004
【図３】
2015029729.tif 000005
【図４】
2015029729.tif 000006
【図５】
2015029729.tif 000007
【図６】
2015029729.tif 000008
【図７】
2015029729.tif 000009
【図８】
2015029729.tif 000010
【図９】
2015029729.tif 000011
【図１０】
2015029729.tif 000012
【図１１】
2015029729.tif 000013
【図１２】
2015029729.tif 000014
【図１３】
2015029729.tif 000015
【図１４】
2015029729.tif 000016
【図１５】
2015029729.tif 000017
【図１６】
2015029729.tif 000018
【図１７】
2015029729.tif 000019
【図１８】
2015029729.tif 000020
【図１９】
2015029729.tif 000021
【図２０】
2015029729.tif 000022
【図２１】
2015029729.tif 000023
【図２２】
2015029729.tif 000024
【図２３】
2015029729.tif 000025
【図２４】
2015029729.tif 000026